(57)【特許請求の範囲】
【請求項１】
複数の光ディスクを収納したマガジンを複数格納するマガジン管理装置であって、
複数の前記マガジンを支持する筐体と、
前記筐体を区切って前記マガジンを１つずつ格納できる領域を複数形成する複数の仕切り部と、
前記マガジンに設けられた無線識別子へ応答を求める電波を送信し、前記無線識別子から送信される応答の電波を受信するアンテナと、
前記アンテナで受信した前記応答の電波から得られる情報を受け取る演算部と、
を備え、
前記演算部は、前記応答の電波から得られる前記情報と、前記マガジン管理装置の識別情報および前記マガジン管理装置における前記マガジンの格納場所を示す情報と、をシステム管理装置へ送信するマガジン管理装置。
【請求項２】
複数の光ディスクを収納したマガジンを複数格納するマガジン管理装置であって、
複数の前記マガジンを支持する筐体と、
前記筐体を区切って前記マガジンを１つずつ格納できる領域を複数形成する複数の仕切り部と、
前記マガジンに設けられた無線識別子へ応答を求める電波を送信し、前記無線識別子から送信される応答の電波を受信するアンテナと、
前記アンテナで受信した前記応答の電波から得られる情報を受け取る演算部と、
を備え、
前記仕切り部によって区切られた前記領域のそれぞれに前記アンテナが配置されたマガジン管理装置。
【請求項３】
前記アンテナは、第１のアンテナと第２のアンテナとを備えて構成された、
請求項１に記載のマガジン管理装置。
【請求項４】
前記アンテナは、前記筐体の底部に配置された、
請求項２に記載のマガジン管理装置。
【請求項５】
前記演算部は、前記第１のアンテナと前記第２のアンテナのいずれか一方のアンテナから前記無線識別子へ前記応答を求める電波を送信し、前記応答の電波を受信できないときに他方のアンテナから前記無線識別子へ前記応答を求める電波を送信する、
請求項３に記載のマガジン管理装置。
【請求項６】
前記仕切り部によって区切られた前記領域に前記マガジンの有無を検出するセンサを備え、
前記演算部は、
前記センサにおける検出結果に基づき、前記応答を求める電波を送信するアンテナを決定する、
請求項２に記載のマガジン管理装置。
【請求項７】
前記仕切り部によって区切られた前記領域に前記マガジンの挿入方向を検出するセンサを備え、
前記演算部は、
前記センサにおける検出結果に基づき、前記第１のアンテナと前記第２のアンテナのどちらから前記応答を求める電波を送信するかを決定する、
請求項３に記載のマガジン管理装置。
【請求項８】
複数の光ディスクを収納したマガジンを複数格納するマガジン管理装置であって、
複数の前記マガジンを支持する筐体と、
前記筐体を区切って前記マガジンを１つずつ格納できる領域を複数形成する複数の仕切り部と、
前記マガジンに設けられた無線識別子へ応答を求める電波を送信し、前記無線識別子から送信される応答の電波を受信するアンテナと、
前記アンテナで受信した前記応答の電波から得られる情報を受け取る演算部と、
を備え、
前記アンテナを備えたアンテナ基盤を有し、
前記複数の仕切り部のうちの一部の前記仕切り部を、前記アンテナ基盤で代替したマガジン管理装置。
【請求項９】
前記アンテナは、第１のアンテナと第２のアンテナとを備えて構成された、
請求項８に記載のマガジン管理装置。
【請求項１０】
前記仕切り部によって区切られた前記領域の複数に対して１つの前記アンテナ基盤を設け、前記アンテナは、複数の前記無線識別子を無線通信の対象とする、
請求項８に記載のマガジン管理装置。
【発明の詳細な説明】
【技術分野】
【０００１】
本開示は、光ディスクを複数収納したマガジンを管理するマガジン管理装置、および、マガジン単位で光ディスクへのデータ記録または光ディスクからのデータ読み出しを行うディスク装置に関する。
【背景技術】
【０００２】
多量のデータを記録する装置において、複数（例えば、１２枚、等）の光ディスクを１つのマガジンに収め、マガジン単位で光ディスクを管理することがある。こうすることで、データを記録した光ディスクを、単体で管理するよりも、効率的に管理することができる。
【０００３】
特許文献１は、複数の光ディスクを収納したマガジンと、マガジンから光ディスクを取り出して記録再生を行うディスクチェンジャーを開示する。
【０００４】
しかし、データ量がさらに多くなってマガジンの数が増加すると、マガジンの管理が困難になる。
【先行技術文献】
【特許文献】
【０００５】
【特許文献１】特開２０１２−０７４１０４号公報
【発明の概要】
【０００６】
本開示は、複数の光ディスクを収納するマガジンを効率的に管理することができるマガジン管理装置、およびディスク装置を提供する。
【０００７】
本開示におけるマガジン管理装置は、複数の光ディスクを収納したマガジンを複数格納するマガジン管理装置である。このマガジン管理装置は、複数のマガジンを支持する筐体と、筐体を区切ってマガジンを１つずつ格納できる領域を複数形成する複数の仕切り部と、マガジンに設けられた無線識別子へ応答を求める電波を送信し、無線識別子から送信される応答の電波を受信するアンテナと、アンテナで受信した応答の電波から得られる情報を受け取る演算部と、を備える。
【０００８】
本開示におけるディスク装置は、マガジンの識別情報を含む情報が記録された無線識別子を有し、複数の光ディスクを格納したマガジンを着脱可能に格納するディスク装置である。このディスク装置は、マガジンから複数の光ディスクを取り出すピッカーと、ピッカーが取り出した複数の光ディスクのうちの１つの光ディスクに対するデータ書き込みまたはデータ読み出しを行うディスクドライブと、を備える。ピッカーは、マガジンから複数の光ディスクを取り出すときに、マガジンが有する無線識別子から情報を読み出す。
【０００９】
本開示におけるマガジン管理システムは、上記のマガジン管理装置と、上記のディスク装置と、を備える。
【００１０】
本開示におけるマガジン管理装置は、複数の光ディスクを収納するマガジンを効率的に管理するのに有効である。
【図面の簡単な説明】
【００１１】
【図１】図１は、実施の形態１におけるマガジン管理システムの一構成例を模式的に示す図である。
【図２】図２は、実施の形態１におけるディスク装置の一構成例を概略的に示す斜視図である。
【図３】図３は、実施の形態１におけるマガジンの外観の一例を示す斜視図である。
【図４】図４は、実施の形態１におけるマガジンの一構成例を概略的に示す分解斜視図である。
【図５】図５は、実施の形態１におけるディスク装置においてピッカーがマガジンからマガジントレイを引き出す際の動作を概略的に示す平面図である。
【図６】図６は、実施の形態１におけるマガジン管理装置の外観の一例を示す斜視図である。
【図７】図７は、実施の形態１におけるマガジン管理装置が備える回路部の一例を概略的に示す平面図である。
【図８】図８は、実施の形態１におけるマガジン管理装置の機能構成の一例を模式的に示すブロック図である。
【図９】図９は、実施の形態１におけるマガジン管理装置のアンテナ制御の一動作例を示すフローチャートである。
【図１０】図１０は、実施の形態２におけるマガジン管理装置の外観の一例を示す斜視図である。
【図１１】図１１は、実施の形態２におけるマガジン管理装置の動作状態の一例を模式的に示す図である。
【発明を実施するための形態】
【００１２】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、添付図面および以下の説明は、当業者が本開示を十分に理解するために提供されるのであって、これらにより請求の範囲に記載の主題を限定することは意図されていない。
【００１４】
なお、説明中で同じ符号、記号、数字は、特に説明が無い限り、同じ構成要素を示すものとする。また、特に説明が無い限り本開示に必須でない構成要素は図示しないものとする。
【００１５】
（実施の形態１）
以下、図１〜図９を用いて、実施の形態１を説明する。
【００１６】
［１−１．構成］
図１は、実施の形態１におけるマガジン管理システム１００の一構成を模式的に示す図である。
【００１７】
マガジン管理システム１００は、ディスク装置１０１と、システム管理装置１０２と、マガジン管理装置１０３と、操作端末１０４と、を有する。マガジン管理システム１００において、ディスク装置１０１と、システム管理装置１０２と、マガジン管理装置１０３と、操作端末１０４と、はネットワークで互いに接続されている。
【００１８】
ディスク装置１０１は、マガジンの識別情報を含む情報が記録された無線識別子を有し、複数の光ディスクを格納したマガジンを着脱可能に格納する。ディスク装置１０１は、制御部１１０を備え、システム管理装置１０２からの指示に基づき、記録媒体である光ディスクへのデータ書き込み、または光ディスクからのデータ読み出し、等の処理を実行する。ディスク装置１０１は、光ディスクを単体で取り扱うのではなく、複数の光ディスクを収納したマガジンを取り扱う。ディスク装置１０１から光ディスクが取り出される場合はその光ディスクを収納したマガジンが取り出され、ディスク装置１０１へ光ディスクが挿入される場合はその光ディスクを収納したマガジンが挿入される。
【００１９】
なお、マガジン管理システム１００が備えるディスク装置１０１は、１台であってもよく、複数台であってもよい。
【００２０】
システム管理装置１０２は、操作端末１０４を操作するユーザの指示に応じて、ディスク装置１０１へ、データ書き込みまたはデータ読み出しを、書き込みや読み出しの対象となる光ディスクを収納したマガジンを指定して、指示する。それらの動作のために、システム管理装置１０２は、マガジンを識別するための情報（以下、「識別情報」と記す）および各マガジンを管理するための情報（以下、「管理情報」と記す）等のマガジンの管理に必要な情報をディスク装置１０１およびマガジン管理装置１０３から取得して保存する。これにより、システム管理装置１０２は、ユーザ指示に応じた適切なマガジンを選択することができる。システム管理装置１０２は、他のコンピュータシステム等（図示せず）からデータ書き込みやデータ読み出しの要求があった場合にも、その要求に応じた適切なマガジンを特定し、そのマガジンを指定して、データの書き込みまたは読み出しをディスク装置１０１へ指示する。
【００２１】
また、マガジン管理システム１００が複数台のディスク装置１０１を備えている場合、システム管理装置１０２は、データの書き込みまたは読み出しを指示すべきディスク装置１０１を適切に選択し、そのディスク装置１０１を、その要求に応じて適切に制御する。
【００２２】
上述したように、システム管理装置１０２は、マガジンを適切に管理するための情報、例えば、マガジンの識別情報およびマガジンの管理情報等、をディスク装置１０１およびマガジン管理装置１０３から取得して保存する。例えば、システム管理装置１０２は、ディスク装置１０１によってデータが書き込まれた光ディスクを収納するマガジンに関する情報を、マガジン管理装置１０３から取得して管理する。具体的には、システム管理装置１０２は、ディスク装置１０１によりデータが書き込まれた光ディスクを収納したマガジンがマガジン管理装置１０３に格納されるときに、そのマガジンがマガジン管理装置１０３のどこに格納されたかを示す情報およびそのマガジンの識別情報を、マガジン管理装置１０３から取得する。また、システム管理装置１０２は、どのマガジンのどの光ディスクにどのような種類（例えば、ファイル名やファイル拡張子、等）のデータが保存されているか、そのデータがいつ書き込まれ、またはいつ更新されたか、等を示す情報をディスク装置１０１から取得して保存する。
【００２３】
マガジン管理装置１０３は、ディスク装置１０１によりデータが書き込まれた光ディスクが収納されたマガジンを格納するとともに、マガジンの識別情報や、マガジンを管理するためのその他の情報をそれぞれのマガジンから読み出し、システム管理装置１０２へ送信する。マガジン管理装置１０３の詳細は後述する。
【００２４】
操作端末１０４は、ユーザ操作を受け付けるユーザインタフェース（ＵＩ）を備え、システム管理装置１０２へユーザ操作に基づく指示を出す。操作端末１０４は、マガジン管理システム１００の状況を監視する機能を備えていてもよい。
【００２５】
次に、ディスク装置１０１について説明する。
【００２６】
図２は、実施の形態１におけるディスク装置１０１の一構成例を概略的に示す斜視図である。なお、以下では、便宜的に、Ｘ、Ｙ、Ｚの３軸を用いて説明する。
【００２７】
ディスク装置１０１は、マガジンストッカー２０１、底シャーシ２１１、複数のマガジン２０２、ピッカー２０３、複数のディスクドライブ２０４、キャリア２０６、主回路部２０７、ガイドレール２１２、ラック２１４、を備える。
【００２８】
本実施の形態におけるディスク装置１０１は、２つのマガジンストッカー２０１を備えるが、図２では、便宜上、一方のマガジンストッカー２０１のみを図示し、他方のマガジンストッカー２０１は省略している。なお、ディスク装置１０１が備えるマガジンストッカー２０１の数は、何ら２つに限定されるものではなく、１つであってもよく、３つ以上であってもよい。
【００２９】
２つのマガジンストッカー２０１は、底シャーシ２１１上において、ディスク装置１０１の幅方向（図２におけるＹ軸方向）に互いに対向するように設けられている。図２では、図面手前側のマガジンストッカー２０１の図示を省略している。また、マガジンストッカー２０１は、天板および仕切板を備えているが、図２では、それらを図示していない。
【００３０】
マガジンストッカー２０１には、図２に一例を示すように、複数のマガジン２０２が格納されている。各マガジン２０２は、複数（例えば、１２枚）の光ディスクを収納するマガジントレイ２２１を有している。マガジン２０２の詳細は後述する。
【００３１】
２つのマガジンストッカー２０１の間には、ピッカー２０３が設けられている。ピッカー２０３は、複数のマガジン２０２の中から選択された１つのマガジン２０２から、マガジントレイ２２１を引き出して保持する。そして、ピッカー２０３は、保持したマガジントレイ２２１を、ディスク装置１０１の奥行き方向の端部（図２におけるＸ軸方向の端部。以下、後方とする）に配置された複数のディスクドライブ２０４の近傍まで搬送する。ピッカー２０３は、マガジントレイ２２１から複数の光ディスクを押し出すリフター２０５を有する。ピッカー２０３には、リフター２０５が一体的に設けられている。
【００３２】
ディスクドライブ２０４は、光ディスクにデータを書き込み、または光ディスクからデータを読み出す装置である。ディスクドライブ２０４は、トレイを用いて光ディスクをローディングするトレイ方式のディスクドライブである。複数のディスクドライブ２０４は、ディスク装置１０１の高さ方向（図２におけるＺ軸方向）に積層され、ディスク装置１０１の後方において２つのマガジンストッカー２０１のそれぞれに隣接して配置されている。一方のマガジンストッカー２０１に隣接して積層配置された複数のディスクドライブ２０４と、他方のマガジンストッカー２０１に隣接して積層配置された複数のディスクドライブ２０４との間には、キャリア２０６が設けられている。
【００３３】
キャリア２０６は、リフター２０５により押し出された複数の光ディスクを積層状態で保持する。そして、キャリア２０６は、複数のディスクドライブ２０４のいずれか１つから排出されたトレイ（図示せず）の上方で、保持している複数の光ディスクから１枚の光ディスクを取り出し、取り出した光ディスクをそのトレイに載置する。なお、本実施の形態では、リフター２０５とキャリア２０６とにより、ディスク分離供給装置が構成されている。
【００３４】
キャリア２０６および複数のディスクドライブ２０４よりさらに後方には、電気回路および電源を備えた主回路部２０７が設けられている。主回路部２０７には、ピッカー２０３、ディスクドライブ２０４、キャリア２０６、等の各装置の動作を制御（例えば、モータの制御、等）する制御部１１０が設けられている。制御部１１０は、ディスク装置１０１を管理するシステム管理装置１０２（図１参照）に、ネットワークを介して接続されている。
【００３５】
システム管理装置１０２は、制御部１１０に、操作端末１０４（図１参照）を操作するユーザの指示に基づく指示、すなわち、マガジン２０２を指定し、指定のマガジン２０２に収納された光ディスクへのデータ書き込みまたはデータ読み出し等の動作を行う指示、を出す。制御部１１０は、システム管理装置１０２からの指示に従い、ピッカー２０３、ディスクドライブ２０４、キャリア２０６、等の各装置を制御する。
【００３６】
マガジンストッカー２０１は、ピッカー２０３を摺動自在にガイドするガイドレール２１２に沿って設けられている。ガイドレール２１２は、ディスク装置１０１の奥行き方向（Ｘ軸方向）、すなわちマガジンストッカー２０１の長手方向に、延伸するように設けられている。マガジンストッカー２０１の前方の側面（図面の手前側の側面）には、把手２１３が設けられている。例えば、ユーザは、把手２１３を図面上の手前に引くことにより、マガジンストッカー２０１をディスク装置１０１の前方に移動させることができる。各マガジンストッカー２０１は、ディスク装置１０１の幅方向（Ｙ軸方向）から見て格子状に形成された仕切板（図示せず）を備えている。そして、仕切板に囲まれたそれぞれの領域にマガジン２０２が収納されている。
【００３７】
ここで、マガジン２０２について説明する。
【００３８】
図３は、実施の形態１におけるマガジン２０２の外観の一例を示す斜視図である。
【００３９】
図４は、実施の形態１におけるマガジン２０２の一構成例を概略的に示す分解斜視図である。
【００４０】
マガジン２０２は、図３に示すように、マガジントレイ２２１と、マガジントレイ２２１を収納する略直方体形状のケース２２２と、を備えている。ケース２２２の一方の側面（以下、前面とする）には、図４に示すように、マガジントレイ２２１を挿抜可能な開口部２２２ａが設けられている。
【００４１】
マガジントレイ２２１の外形は、扁平な略直方体形状に形成されている。マガジントレイ２２１は、複数の光ディスク２００を、互いに密着して積層した状態で収納する。マガジントレイ２２１には、マガジントレイ２２１がケース２２２内に収納されたときにケース２２２の背面側に位置する両コーナー部分に、カット部２２１ａが形成されている。また、マガジントレイ２２１において、マガジントレイ２２１がケース２２２内に収納されたときにケース２２２の背面側に位置する側面２２１ｂは、カット部２２１ａを含む全体が円弧状に形成されている。
【００４２】
また、マガジントレイ２２１には、マガジントレイ２２１がケース２２２内に収納されたときにケース２２２の前面側に位置する両コーナー部分に、切欠部２２１ｃが形成されている。切欠部２２１ｃの内側には、後述する一対のフック２３５が係合する係合凹部２２１ｄが形成されている。
【００４３】
マガジントレイ２２１には、複数の光ディスク２００のそれぞれに設けられた中心穴２００ａに挿入され、各光ディスク２００の面方向の移動を規制する芯棒２２３が設けられている。この芯棒２２３により、光ディスク２００の面方向への滑動が阻まれ、滑動で生じるおそれがある光ディスク２００の傷付きが防止される。
【００４４】
図２に戻り、ディスク装置１０１の説明を続ける。
【００４５】
ピッカー２０３は、走行ベース２３１を備えている。走行ベース２３１の一方のマガジンストッカー２０１側には、ガイドレール２１２を摺動自在に移動する台車（図示せず）が取り付けられている。また、走行ベース２３１の他方のマガジンストッカー２０１側には、ローラ（図示せず）が取り付けられている。
【００４６】
ラック２１４は、底シャーシ２１１に固定されている。一方、走行ベース２３１は、底シャーシ２１１に固定されていない。そのため、ラック２１４と噛み合い駆動源からの力を伝達するピニオンギヤ（図示せず）が回転すると、ピニオンギヤがラック２１４に沿って移動し、ピッカー２０３がディスク装置１０１の奥行き方向（Ｘ軸方向）に移動する。
【００４７】
ここで、ピッカー２０３について説明する。
【００４８】
図５は、実施の形態１におけるディスク装置１０１においてピッカー２０３がマガジン２０２からマガジントレイ２２１を引き出す際の動作を概略的に示す平面図である。図５には、ピッカー２０３に設けられた、昇降台２３４（図２参照）と、一対のフック２３５と、チャック２３６と、の構成を示し、フック２３５が、マガジントレイ２２１の係合凹部２２１ｄに係合する際の状態を示す。
【００４９】
昇降台２３４は、図２に示すように、操作の対象とするマガジントレイ２２１の高さまでチャック２３６等を移動させる装置である。
【００５０】
一対のフック２３５は、開閉動作を行う。一対のフック２３５は、閉動作によりマガジントレイ２２１の係合凹部２２１ｄに係合し、開動作によりその係合を開放する。
【００５１】
チャック２３６は、フック２３５を開閉動作させるとともに、図５に示すＹ軸方向へフック２３５を移動させる。フック２３５が係合凹部２２１ｄに係合した状態でチャック２３６が移動することで、マガジントレイ２２１を、ケース２２２から取り出したり、ケース２２２内に収納したりすることができる。
【００５２】
マガジントレイ２２１は、それぞれのマガジン２０２を識別するための識別情報、あるいは、それぞれのマガジン２０２を管理するための管理情報、を保持する情報保持部を有する。図４には、電力供給が不要であり、非接触で情報の読み取りや書き込みが可能な無線識別子２２４を情報保持部に用いた構成例を示す。すなわち、以下の説明では、無線識別子２２４をマガジントレイ２２１に備えた構成例を説明する。このような無線識別子２２４は、例えばＲＦＩＤ（Ｒａｄｉｏ  Ｆｒｅｑｕｅｎｃｙ  ＩＤｅｎｔｉｆｉｅｒ）等を利用して実現することが可能である。無線識別子２２４は、例えば、マガジン２０２を識別するための識別情報や、光ディスク２００の種別、光ディスク２００の容量、マガジン２０２内に収納された光ディスク２００の枚数、等の各種情報を保持している。無線識別子２２４は、これらの情報を保持するだけでなく、情報の追加記録、読み出し、情報の更新、等が可能である。なお、情報保持部は何ら無線識別子２２４に限定されない。各マガジン２０２を識別することができれば、どのようなものでもよい。例えばバーコードをマガジントレイ２２１に張り付ける等したものを情報保持部としてもよい。
【００５３】
本実施の形態では、図４、図５に示すように、マガジントレイ２２１のうちのピッカー２０３が近接する部分に無線識別子２２４を設ける。そして、ピッカー２０３（チャック２３６）のうちのマガジントレイ２２１に近接する部分には、無線部２３７を設ける。無線部２３７は、無線識別子２２４の情報を非接触で読み取る（または、無線識別子２２４に情報を非接触で記録する）ためのアンテナおよび無線制御回路を有する。ピッカー２０３は、マガジントレイ２２１に近づくと、無線部２３７を用いて、無線識別子２２４から情報を読み出す。また、ピッカー２０３は、マガジントレイ２２１をケース２２２に収納するときに、無線部２３７を用いて、無線識別子２２４へ情報を記録し、または無線識別子２２４が有する情報を更新する。
【００５４】
このように、本実施の形態では、ピッカー２０３がマガジントレイ２２１に近接することで、ディスク装置１０１は非接触で無線識別子２２４から情報を読み取ったり無線識別子２２４に情報を記録したりすることができる。すなわち、ディスク装置１０１は、マガジン２０２に収納されている光ディスク２００をディスクドライブ２０４に配置して光ディスク２００からデータを読み出す、といったことをせずとも、マガジン２０２のそれぞれを識別することが可能である。これにより、ディスク装置１０１は、マガジン２０２を識別するときに、マガジントレイ２２１をケース２２２から取り出し、それぞれの光ディスク２００をディスクドライブ２０４に配置する、といった処理に要する時間を削減することが可能となる。
【００５５】
なお、各マガジン２０２が有する無線識別子２２４のそれぞれにどのような情報が記録されているかは、ディスク装置１０１が、光ディスク２００にデータを書き込むときに、システム管理装置１０２に通知しておくことが望ましい。例えば、無線識別子２２４に記録されたマガジン２０２の識別情報と、光ディスク２００に書き込まれたデータに関する各種情報と、をディスク装置１０１からシステム管理装置１０２に通知して登録しておけば、ディスク装置１０１は、それらの情報がシステム管理装置１０２に登録されたマガジン２０２を次に操作するときに、その登録情報をシステム管理装置１０２に問い合わせるだけで必要な情報を得られる。これにより、ディスク装置１０１は、無線識別子２２４から各種情報を読み出す処理に要する時間を短縮することができる。
【００５６】
次に、マガジン管理装置１０３について説明する。
【００５７】
図６は、実施の形態１におけるマガジン管理装置１０３の外観の一例を示す斜視図である。
【００５８】
マガジン管理装置１０３は、ディスク装置１０１から取り出されたマガジン２０２を格納して管理する。マガジン管理装置１０３は、筐体６０１と、仕切り板６０２と、回路部６０３と、を備える。
【００５９】
筐体６０１は、複数のマガジン２０２を格納して保持する。
【００６０】
仕切り板６０２は、筐体６０１に複数のマガジン２０２を格納するときに、各マガジン２０２を互いに離隔し、それぞれの格納位置を定める。仕切り板６０２によって区切られた領域をスロットという。マガジン管理装置１０３では、１つのスロットに１つのマガジン２０２が格納される。
【００６１】
回路部６０３は、マガジン管理装置１０３を電気的に制御するための回路である。回路部６０３は、筐体６０１の底部に配置されている。なお、筐体６０１の底部とは、スロットに挿入されたマガジン２０２を支持する面（底面）を備えた部位のことである。なお、仕切り板６０２にマガジン２０２を支持する機構を設けてもよい。そして、マガジン２０２は、この機構で支持されることで、筐体６０１の底部に間接的に支持されてもよい。
【００６２】
そして、マガジン２０２は、筐体６０１の各スロットに、マガジントレイ２２１の前面が筐体６０１の底部に対向する向き（以下、下向きとする）で、挿入される。そのため、筐体６０１に挿入されたマガジン２０２において、マガジントレイ２２１に設けられた無線識別子２２４は、筐体６０１の底部に対向する。
【００６３】
図７は、実施の形態１におけるマガジン管理装置１０３が備える回路部６０３の一例を概略的に示す平面図である。図７には、回路部６０３を実現する回路基板の一構成例を示す。
【００６４】
回路部６０３は、回路実装部分６０４と、アンテナ部６０５と、を有する。
【００６５】
回路実装部分６０４は、第１の回路実装部分６０４ａと、第２の回路実装部分６０４ｂと、第３の回路実装部分６０４ｃと、を有する。
【００６６】
第１の回路実装部分６０４ａには、例えば、ＣＰＵ（Ｃｅｎｔｒａｌ  Ｐｒｏｃｅｓｓｉｎｇ  Ｕｎｉｔ）、ＲＦ（Ｒａｄｉｏ  Ｆｒｅｑｕｅｎｃｙ）用の集積回路、マガジン管理装置１０３がシステム管理装置１０２と通信するための通信用集積回路、および各種コネクタ、等が実装される。
【００６７】
第２の回路実装部分６０４ｂには、ＲＦ用の集積回路とアンテナ部６０５とを互いに電気的に接続する回路配線が実装される。
【００６８】
第３の回路実装部分６０４ｃには、例えば、回路上のグランド（接地）部分としての回路パターンが形成されている。また、第３の回路実装部分６０４ｃには、各マガジン２０２の状態等を示すＬＥＤ（Ｌｉｇｈｔ  Ｅｍｉｔｔｉｎｇ  Ｄｉｏｄｅ）等の点灯素子が実装されてもよい。
【００６９】
アンテナ部６０５は、第１のアンテナ領域６０５ａと、第２のアンテナ領域６０５ｂと、を有する。
【００７０】
第１のアンテナ領域６０５ａには、複数の第１のアンテナ６０６ａが形成され、複数の第１のアンテナ６０６ａのそれぞれは、筐体６０１の底部の、仕切り板６０２に区切られた領域（スロット）に対応する位置に配置されている。第２のアンテナ領域６０５ｂには、複数の第２のアンテナ６０６ｂが形成され、複数の第２のアンテナ６０６ｂのそれぞれは、筐体６０１の底部の、仕切り板６０２に区切られた領域（スロット）に対応する位置に配置されている。そして、複数の第１のアンテナ６０６ａのそれぞれと、複数の第２のアンテナ６０６ｂのそれぞれとは、第２の回路実装部分６０４ｂを間に挟んで、互いに向かい合う位置に配置されている。こうして、マガジン管理装置１０３において、筐体６０１の底部には、互いに向かい合う１つの第１のアンテナ６０６ａと１つの第２のアンテナ６０６ｂとで形成された１組のアンテナ６０６が、筐体６０１に設けられたスロット毎に形成される。
【００７１】
したがって、マガジン管理装置１０３では、このようにして形成された１組のアンテナ６０６が、筐体６０１に格納された１つのマガジン２０２に対応する。このように、マガジン管理装置１０３は、筐体６０１に格納された１つのマガジン２０２に対して、複数のアンテナ（例えば、第１のアンテナ６０６ａおよび第２のアンテナ６０６ｂ）を備える。これにより、マガジン管理装置１０３は、マガジン２０２との無線通信を良好に行うことができる。
【００７２】
図３に示す例では、無線識別子２２４は、マガジントレイ２２１の前面側の端部（図３に示す例では、右端）に配置されている。そして、マガジン２０２は、マガジン管理装置１０３の筐体６０１の仕切り板６０２に区切られた領域（スロット）に格納されるとき、マガジントレイ２２１の前面側が筐体６０１の底部に対向する向き（すなわち、下向き）で挿入される。しかし、このとき、マガジン２０２は、左右の向きに関してはスロットへの挿入方向が限定されない。マガジン管理装置１０３では、マガジン２０２を、例えば、図６に示す向きとは左右が逆向き（図６に示すＺ軸を回転軸として１８０度回転した向き）の状態で筐体６０１のスロットに挿入することも可能である。そのため、スロットに格納されたマガジン２０２に備えられた無線識別子２２４の配置位置は、マガジン２０２のスロットへの挿入方向（左右に関する挿入方向）に応じて変化する。しかし、マガジン管理装置１０３では、１つの第１のアンテナ６０６ａと１つの第２のアンテナ６０６ｂとで１組のアンテナ６０６が形成されるので、マガジン２０２がどちらの向きで筐体６０１のスロットに挿入されたとしても、第１のアンテナ６０６ａと第２のアンテナ６０６ｂとのいずれかが無線識別子２２４に近接する。したがって、マガジン管理装置１０３は、第１のアンテナ６０６ａと第２のアンテナ６０６ｂのいずれかを通して、筐体６０１のスロットに格納されたマガジン２０２の無線識別子２２４と無線通信ができる。
【００７３】
言い換えると、本実施の形態に示すマガジン管理装置１０３を使用するユーザは、マガジン管理装置１０３のスロットにマガジン２０２を挿入するときに、マガジントレイ２２１の前面がマガジン管理装置１０３の底部に対向する向きでさえあれば、左右どちらの向きでマガジン２０２をスロットに挿入してもかまわないので、利便性が向上する。
【００７４】
なお、図７にはアンテナの配線パターンを３種類示しているが、これは単なる例示に過ぎない。本開示は、アンテナの配線パターンを何ら限定しない。アンテナの配線パターンは無線識別子２２４と適切に無線通信できる形状であればよい。
【００７５】
図８は、実施の形態１におけるマガジン管理装置１０３の機能構成の一例を模式的に示すブロック図である。図８には、回路部６０３が実現する機能を機能構成図として示している。
【００７６】
マガジン管理装置１０３は、ＵＳＢコントローラ８０１と、イーサネット（登録商標、以下同様）コントローラ８０２と、ＣＰＵ８０３と、メモリ８０４と、無線制御ＩＣ８０５と、アンテナ８０６と、を有する。なお、ＵＳＢコントローラ８０１は第１の通信部の一例である。イーサネットコントローラ８０２は第２の通信部の一例である。ＣＰＵ８０３は演算部の一例である。
【００７７】
ＵＳＢコントローラ８０１は、複数のマガジン管理装置１０３をディジーチェーンで接続してマガジン管理装置１０３間をＵＳＢ通信するときのＵＳＢプロトコルを制御する。なお、本実施の形態では、複数のマガジン管理装置１０３間の通信にＵＳＢプロトコルを用いる構成例を示しているが、本開示は何らこの構成に限定されない。
【００７８】
イーサネットコントローラ８０２は、マガジン管理装置１０３がシステム管理装置１０２とイーサネットプロトコルを用いて通信を行うときの通信を制御する。なお、本実施の形態では、マガジン管理装置１０３とシステム管理装置１０２との通信にイーサネットプロトコルを用いる構成例を示しているが、本開示は何らこの構成に限定されない。
【００７９】
ＣＰＵ８０３は、ＵＳＢコントローラ８０１やイーサネットコントローラ８０２等を制御する。さらに、ＣＰＵ８０３は、無線制御ＩＣ８０５を制御することで、マガジン２０２に設けられた無線識別子２２４と無線通信する。
【００８０】
メモリ８０４は、ＣＰＵ８０３が動作する際に、一時的に保持しておくべきデータや、各種の設定情報等を保持する。メモリ８０４は、不揮発性の記憶媒体、揮発性の記憶媒体、のいずれであってもよいし、両方を組み合わせたものであってもよい。
【００８１】
無線制御ＩＣ８０５は、ＣＰＵ８０３からの制御に応じて、高周波信号（ＲＦ信号）を生成し、生成した高周波信号を、後述するアンテナ８０６へ出力する。また、無線制御ＩＣ８０５は、アンテナ８０６を通して受信した高周波信号から情報を取り出してＣＰＵ８０３に出力する。
【００８２】
アンテナ８０６は、無線制御ＩＣ８０５が生成した高周波信号に基づく電波を外部へ送信し、また、外部からの電波（例えば、マガジン２０２の無線識別子２２４が出力する電波）を受信して取得した高周波信号を無線制御ＩＣ８０５へ出力する。
【００８３】
なお、マガジン管理装置１０３は、１つの無線制御ＩＣ８０５が複数のアンテナ８０６を制御する構成であってもよく、あるいは、複数のアンテナ８０６と同数の無線制御ＩＣ８０５を設け、複数のアンテナ８０６のそれぞれと無線制御ＩＣ８０５とが一対一に対応する構成であってもよい。なお、図８には、複数のアンテナ８０６として、アンテナ８０６ａ、８０６ｂ、８０６ｃを示しているが、複数のアンテナ８０６は、上述した複数の第１のアンテナ６０６ａおよび複数の第２のアンテナ６０６ｂに対応しており、アンテナ８０６ａ、８０６ｂ、８０６ｃは単なる例示に過ぎない。
【００８４】
［１−２．動作］
次に、以上のように構成されたマガジン管理装置１０３の動作を説明する。
【００８５】
図９は、実施の形態１におけるマガジン管理装置１０３のアンテナ制御の一動作例を示すフローチャートである。図９には、ＣＰＵ８０３が、第１のアンテナ６０６ａと、第２のアンテナ６０６ｂと、を制御して無線通信を行うフローチャートを示す。
【００８６】
ＣＰＵ８０３は、複数組あるアンテナ６０６から処理の対処とする１組のアンテナ６０６を選択する（ステップＳ９０１）。本実施の形態では、この選択の方法を何ら限定しない。例えば、マガジン管理装置１０３の端のスロットから順にそのスロットに対応する１組のアンテナ６０６が選択されてもよい。あるいは、他の基準にしたがって１組のアンテナ６０６が選択されてもよい。
【００８７】
ＣＰＵ８０３は、ステップＳ９０１で選択された１組のアンテナ６０６に対応する領域（スロット）にマガジン２０２が格納されているか否かを判断する（ステップＳ９０２）。この判断は、例えば、それぞれのスロットにマガジン２０２の有無を検出するセンサ（例えば、スロットに挿入されたマガジン２０２により押下されるスイッチ等。図示せず）を設け、そのセンサの検出結果に基づきＣＰＵ８０３が行う構成でもよい。あるいは、アンテナ６０６から無線識別子２２４検出用の電波を送信し、その電波に対する応答の有無によりマガジン２０２の有無をＣＰＵ８０３が検出する構成であってもよい。
【００８８】
ステップＳ９０２で、マガジン２０２はそのスロットに格納されている（ステップＳ９０２のＹｅｓ）と判断された場合、処理はステップＳ９０３へ進む。ステップＳ９０２で、マガジン２０２はそのスロットに格納されていない（ステップＳ９０２のＮｏ）と判断された場合、処理はステップＳ９０１へ戻り、ステップＳ９０１が再度実行されて、他の１組のアンテナ６０６が選択される。
【００８９】
ＣＰＵ８０３は、ステップＳ９０１で選択された１組のアンテナ６０６が備える第１のアンテナ６０６ａから、無線識別子２２４の情報を読み取るための信号（無線識別子２２４に応答を求める信号）を重畳した電波が送信されるように、無線制御ＩＣ８０５を制御する（ステップＳ９０３）。これにより第１のアンテナ６０６ａから、無線識別子２２４に電波が送信される。
【００９０】
ＣＰＵ８０３は、ステップＳ８０３で第１のアンテナ６０６ａから送信された電波に対する応答の電波（マガジン２０２の無線識別子２２４から送信される電波）を受信できるか否かを確認する（ステップＳ９０４）。
【００９１】
ステップＳ９０４で、第１のアンテナ６０６ａから送信された電波に対する応答を受信できた場合（ステップＳ９０４のＹｅｓ）、処理はステップＳ９０６へ進む。
【００９２】
ステップＳ９０４で、第１のアンテナ６０６ａから送信された電波に対する応答を受信できない場合（ステップＳ９０４のＮｏ）、ＣＰＵ８０３は、ステップＳ９０１で選択された１組のアンテナ６０６が備える第２のアンテナ６０６ｂから、ステップＳ９０３で第１のアンテナ６０６ａから送信された電波と同様の電波が無線識別子２２４へ送信されるように、無線制御ＩＣ８０５を制御する（ステップＳ９０５）。
【００９３】
ステップＳ９０４のＹｅｓの判定後、または、ステップＳ９０５の後、無線制御ＩＣ８０５は、第１のアンテナ６０６ａまたは第２のアンテナ６０６ｂを介して受信した電波（すなわち、対応するスロットに格納されたマガジン２０２の無線識別子２２４から送信される応答の電波）からマガジン２０２に関する情報を取り出してＣＰＵ８０３に出力する。ＣＰＵ８０３は、その情報を受け取ってメモリ８０４に保存する（ステップＳ９０６）。
【００９４】
ＣＰＵ８０３は、マガジン管理装置１０３が備えるすべてのスロットに関して、上記の処理が完了したか否かを判断する（ステップＳ９０７）。
【００９５】
ステップＳ９０７で、すべてのスロットに関して処理は完了したと判断された場合（ステップＳ９０７のＹｅｓ）、ＣＰＵ８０３は、一連の処理を終了する。ステップＳ９０７で、処理が未完了のスロットがあると判断された場合（ステップＳ９０７のＮｏ）、処理はステップＳ９０１へ戻り、ステップＳ９０１以降の処理が再度実行される。
【００９６】
なお、図９に示すフローチャートでは、第１のアンテナ６０６ａによる無線通信を先に行う動作例を示したが、第２のアンテナ６０６ｂによる無線通信を先に行ってもよい。
【００９７】
このように、マガジン管理装置１０３では、無線識別子２２４に記録されている情報を読み出すときに、まず第１のアンテナ６０６ａを使用し、第１のアンテナ６０６ａを用いて無線識別子２２４から情報を読み出すことができれば、第２のアンテナ６０６ｂを使用しない。これにより、マガジン管理装置１０３は、マガジン管理装置１０３に格納されているすべてのマガジン２０２の無線識別子２２４から情報を読み出すのに要する時間を短縮することができる。すなわち、マガジン管理装置１０３では、無線識別子２２４から情報を読み出すときの処理が軽減され、より高速に無線識別子２２４から情報を読み出すことが可能となる。
【００９８】
以上の処理を実行することで、マガジン管理装置１０３は、マガジン管理装置１０３に格納されているすべてのマガジン２０２の無線識別子２２４と通信を行い、無線識別子２２４に記録されている情報を読み出して取得することができる。また、マガジン管理装置１０３は、無線識別子２２４から情報を取得したマガジン２０２が、マガジン管理装置１０３のどのスロットに格納されているかを把握できる。
【００９９】
そして、ＣＰＵ８０３は、メモリ８０４に保存したマガジン２０２の情報（例えば、マガジン２０２の識別情報、等）と、マガジン管理装置１０３自身の識別情報およびマガジン管理装置１０３におけるマガジン２０２の格納場所（スロット）を示す情報と、をともにシステム管理装置１０２へ送信する。
【０１００】
これにより、システム管理装置１０２は、単数または複数のマガジン管理装置１０３から送信されてくる情報により、どのマガジン管理装置１０３のどのスロットに、どのマガジン２０２が格納されているかを把握することができる。
【０１０１】
したがって、ユーザは、操作端末１０４を操作してそれらの情報をシステム管理装置１０２から取得し、ＵＩ（Ｕｓｅｒ  Ｉｎｔｅｒｆａｃｅ）等を利用して所望のマガジン２０２を選択することができる。そして、システム管理装置１０２は、ユーザに選択されたマガジン２０２を格納するマガジン管理装置１０３を適切に選択し、そのマガジン管理装置１０３へ適切に制御信号を送信することができる。このとき、その制御信号を受信したマガジン管理装置１０３は、ユーザにより指定されたマガジン２０２を格納するスロットに設けられたインジケータ（例えば、図７に示した第３の回路実装部分６０４ｃに設けられているＬＥＤ、等）を点灯させてもよい。これにより、ユーザは、ユーザが選択したマガジン２０２が、どのマガジン管理装置１０３のどの場所に格納されているかを容易に視認できる。
【０１０２】
なお、マガジン管理装置１０３は、それぞれのスロットにマガジン２０２の挿入方向を検出するセンサを備えてもよい。そして、マガジン管理装置１０３は、そのセンサの検出結果に基づき、ＣＰＵ８０３が、第１のアンテナ６０６ａと第２のアンテナ６０６ｂとのいずれのアンテナから電波（無線識別子２２４に応答を求める電波）を送信するかを決定するように構成されていてもよい。
【０１０３】
［１−３．効果等］
以上のように、本実施の形態において、マガジン管理装置は、複数の光ディスクを収納したマガジンを複数格納する。このマガジン管理装置は、複数のマガジンを支持する筐体と、筐体を区切ってマガジンを１つずつ格納できる領域を複数形成する複数の仕切り部と、マガジンに設けられた無線識別子へ応答を求める電波を送信し、無線識別子から送信される応答の電波を受信するアンテナと、アンテナで受信した応答の電波から得られる情報を受け取る演算部と、を備える。
【０１０４】
なお、マガジン管理装置１０３はマガジン管理装置の一例である。光ディスク２００は光ディスクの一例である。マガジン２０２はマガジンの一例である。筐体６０１は筐体の一例である。仕切り板６０２は仕切り部の一例である。無線識別子２２４は無線識別子の一例である。アンテナ６０６、６０６ａ，６０６ｂ、８０６、８０６ａ、８０６ｂ、８０６ｃは、それぞれがアンテナの一例である。ＣＰＵ８０３は演算部の一例である。
【０１０５】
これにより、本実施の形態に示す構成例において、マガジン管理装置１０３は、マガジン２０２が有する無線識別子２２４と無線通信することが可能となり、例えば、無線識別子２２４からマガジン２０２の識別情報を取得すること、等が可能となる。
【０１０６】
このマガジン管理装置において、演算部は、その応答の電波から得られる情報と、マガジン管理装置の識別情報およびマガジン管理装置におけるマガジンの格納場所を示す情報と、をシステム管理装置へ送信してもよい。
【０１０７】
なお、システム管理装置１０２はシステム管理装置の一例である。
【０１０８】
これにより、例えばシステム管理装置１０２は、マガジン管理装置１０３に格納されているマガジン２０２に関する情報（例えば、マガジン２０２の識別情報、等）を取得して管理することが可能となる。
【０１０９】
このマガジン管理装置においては、仕切り部によって区切られた領域のそれぞれにアンテナが配置されていてもよい。
【０１１０】
これにより、例えばシステム管理装置１０２は、マガジン管理装置１０３のどのスロットにどのマガジン２０２が格納されているかを把握することが可能となる。
【０１１１】
このマガジン管理装置において、アンテナは、第１のアンテナと第２のアンテナとを備えて構成されてもよい。また、アンテナは、筐体の底部に配置されてもよい。
【０１１２】
第１のアンテナ６０６ａは第１のアンテナの一例である。第２のアンテナ６０６ｂは第２のアンテナの一例である。
【０１１３】
本実施の形態に示す構成例において、マガジン２０２に収納される複数の光ディスク２００は、マガジン２０２が備えるマガジントレイ２２１で保持される。そして、無線識別子２２４は、そのマガジントレイ２２１の前面の部分に設けられている。また、マガジン２０２は、マガジントレイ２２１の前面（すなわち、無線識別子が設けられた面）がマガジン管理装置１０３の底部に対向する向きで、マガジン管理装置１０３に挿入される。
【０１１４】
したがって、例えばマガジン管理装置１０３においてアンテナ６０６を筐体６０１の底部に設けることで、マガジン管理装置１０３は、スロットにマガジン２０２を格納した状態で、そのマガジン２０２が有する無線識別子２２４に記録された情報を非接触で読み出すことができる。
【０１１５】
また、例えばマガジン管理装置１０３においては、マガジン管理装置１０３の底部に、スロット毎に第１のアンテナ６０６ａおよび第２のアンテナ６０６ｂを設けることで、マガジン２０２が左右どちらの方向でスロットに挿入されたとしても、そのマガジン２０２が有する無線識別子２２４は、第１のアンテナ６０６ａおよび第２のアンテナ６０６ｂのいずれか一方に近接する。したがって、マガジン管理装置１０３は、その無線識別子２２４との無線通信を良好に行うことができる。言い換えると、本実施の形態に示すマガジン管理装置１０３を使用するユーザは、マガジン管理装置１０３のスロットにマガジン２０２を挿入するときに、マガジントレイ２２１の前面がマガジン管理装置１０３の底部に対向する向きでさえあれば、左右どちらの向きでマガジン２０２をスロットに挿入してもかまわないので、利便性が向上する。
【０１１６】
このマガジン管理装置において、演算部は、第１のアンテナと第２のアンテナのいずれか一方のアンテナから無線識別子へ応答を求める電波を送信し、応答の電波を受信できないときに他方のアンテナから無線識別子へ応答を求める電波を送信してもよい。
【０１１７】
例えばマガジン管理装置１０３では、まず第１のアンテナ６０６ａを用いて無線識別子２２４との無線通信を実行し、無線識別子２２４からの応答の電波が返ってこないときに、第２のアンテナ６０６ｂを用いて無線識別子２２４との無線通信を実行する。これにより、マガジン管理装置１０３では、無線識別子２２４から情報を読み出すときの処理が軽減され、より高速に無線識別子２２４から情報を読み出すことが可能となる。
【０１１８】
このマガジン管理装置は、仕切り部によって区切られた領域にマガジンの有無を検出するセンサを備えてもよい。また演算部は、そのセンサにおける検出結果に基づき、使用するアンテナを決定してもよい。
【０１１９】
これにより、例えば、マガジン管理装置１０３では、そのセンサにおける検出結果に基づき、無線識別子２２４との無線通信を行うアンテナを決定することができる。すなわち、マガジン管理装置１０３は、マガジン２０２が格納されていないスロットに関しては、そのスロットに配置されたアンテナ６０６の使用を省略することができる。したがって、マガジン管理装置１０３は、マガジン管理装置１０３に格納された各マガジン２０２の無線識別子２２４からの情報取得を、より高速に行うことが可能となる。
【０１２０】
このマガジン管理装置は、仕切り部によって区切られた領域にマガジンの挿入方向を検出するセンサを備えてもよい。また演算部は、そのセンサにおける検出結果に基づき、第１のアンテナと第２のアンテナとのどちらを使用するかを決定してもよい。
【０１２１】
これにより、例えば、マガジン管理装置１０３では、そのセンサにおける検出結果に基づき、無線識別子２２４との無線通信を行うアンテナを、第１のアンテナ６０６ａと第２のアンテナ６０６ｂとのいずれか一方に決定することができる。すなわち、マガジン管理装置１０３は、第１のアンテナ６０６ａと第２のアンテナ６０６ｂとのうち、いずれか無線識別子２２４に近接していない方に関しては、使用を省略することができる。したがって、マガジン管理装置１０３は、マガジン管理装置１０３に格納された各マガジン２０２の無線識別子２２４からの情報取得を、より高速に行うことが可能となる。
【０１２２】
また、本実施の形態において、ディスク装置は、マガジンの識別情報を含む情報が記録された無線識別子を有するとともに複数の光ディスクを収納したマガジンを着脱可能に格納するディスク装置である。このディスク装置は、マガジンから複数の光ディスクを取り出すピッカーと、ピッカーが取り出した複数の光ディスクのうちの１つの光ディスクに対するデータ書き込みまたはデータ読み出しを行うディスクドライブと、を備える。ピッカーは、マガジンから複数の光ディスクを取り出すときに、マガジンが有する無線識別子から情報を読み出す。
【０１２３】
なお、ディスク装置１０１はディスク装置の一例である。ピッカー２０３はピッカーの一例である。ディスクドライブ２０４はディスクドライブの一例である。
【０１２４】
本実施の形態に示す構成例では、複数の光ディスク２００を収納したマガジン２０２は無線識別子２２４を備える。無線識別子２２４には、マガジン２０２を識別するための識別情報や、光ディスク２００の種別、光ディスク２００の容量、マガジン２０２内に収納された光ディスク２００の枚数、等の各種情報が記録されている。ディスク装置１０１は、このマガジン２０２から光ディスク２００を取り出してデータの書き込みや読み出しを行う。ディスク装置１０１のピッカー２０３は、無線識別子２２４と通信を行う無線部２３７を有する。ピッカー２０３がマガジン２０２に近接した際に、無線部２３７により無線識別子２２４に記録されている情報を読み出し、あるいは新たな情報を無線識別子２２４に記録する。ディスク装置１０１は、無線識別子２２４から読み出した情報と、ディスク装置１０１内、またはディスク装置１０１外に保存された情報とを比較することで、そのマガジン２０２に関する情報（例えば、マガジン２０２内の光ディスク２００に書き込まれたデータの種類、光ディスク２００にデータが書き込まれた日時、光ディスク２００のデータが更新された日時、マガジン２０２内の空き容量、等）を把握する。
【０１２５】
これにより、ディスク装置１０１は、マガジン２０２内の光ディスク２００を直接操作することなく、光ディスク２００に書き込まれたデータの種類や、光ディスク２００の容量等の光ディスク２００に関する情報を把握することができる。したがって、ディスク装置１０１では、マガジン２０２内に収納された光ディスク２００に関する情報を取得するときに、光ディスク２００をマガジン２０２から取り出してディスクドライブ２０４へ搬送するといった動作が不要となり、それらの動作に要する時間を短縮することが可能となる。
【０１２６】
（実施の形態２）
実施の形態１では、マガジン管理装置１０３において、アンテナ６０６を、筐体６０１の底部に配置する構成例を説明した。しかし、本開示は、マガジン管理装置が備えるアンテナの配置位置を、何ら筐体の底部に限定しない。実施の形態２では、マガジン管理装置が備えるアンテナを、筐体の底部に対して実質的に垂直に設けられたアンテナ基盤に配置する構成例を説明する。
【０１２７】
以下、図１０、図１１を用いて、実施の形態２を説明する。
【０１２８】
なお、以下では、実施の形態２が実施の形態１と相違する点を主に説明する。なお、実施の形態１と実質的に同じ動作をする構成要素については、実施の形態１で用いた符号と同じ符号を付与して、説明を省略する。
【０１２９】
［２−１．構成］
図１０は、実施の形態２におけるマガジン管理装置１０３０の外観の一例を示す斜視図である。
【０１３０】
本実施の形態におけるマガジン管理装置１０３０は、筐体１００１と、アンテナ基盤１００２と、仕切り板１００３と、を備える。
【０１３１】
筐体１００１は、複数のマガジン２０２を格納して保持する。
【０１３２】
仕切り板１００３は、筐体１００１に複数のマガジン２０２を格納するときに、各マガジン２０２を互いに離隔するための区切りをする。仕切り板１００３によって区切られた領域がスロットである。仕切り板１００３は、実施の形態１に示した仕切り板６０２と形状に差異があるが、両者は実質的に同じものである。
【０１３３】
アンテナ基盤１００２は、筐体１００１の底部に対して実質的に垂直に設けられ、マガジン２０２の無線識別子２２４と無線通信（電波の送受信）をするためのアンテナ１００４を有する。なお、図１０に例示するように、アンテナ基盤１００２は、仕切り板１００３として使用されてもよい。すなわち、複数の仕切り板１００３のうちの一部をアンテナ基盤１００２で代替し、アンテナ基盤１００２によって隣り合うスロットが区切られてもよい。
【０１３４】
マガジン２０２は、筐体１００１のスロットに、マガジントレイ２２１の前面が筐体１００１の底部に対向する向き（すなわち、下向き）で、挿入される。そのため、筐体１００１に格納されたマガジン２０２において、マガジントレイ２２１に設けられた無線識別子２２４は、筐体１００１の底部側（下側）に位置する。したがって、マガジン管理装置１０３０では、アンテナ基盤１００２の、筐体１００１の底部側（アンテナ基盤１００２の下方）に、アンテナ１００４を設ける。アンテナ１００４は、実施の形態１に示したアンテナ６０６と同様に、マガジントレイ２２１に設けられた無線識別子２２４と無線通信を行うためのものである。
【０１３５】
なお、図１０には、１つのアンテナ基盤１００２が一対のアンテナ１００４を備える構成例を示す。図１０に示す例では、アンテナ基盤１００２ａは、アンテナ１００４ａとアンテナ１００４ｂとを備える。しかし、本実施の形態におけるマガジン管理装置１０３０は、アンテナ基盤１００２に備えるアンテナ１００４の数を限定しない。アンテナ基盤１００２が備えるアンテナ１００４の数は１つであってもよい。
【０１３６】
なお、本実施の形態におけるマガジン管理装置１０３０は、複数のアンテナ基盤１００２を備える。図１０には、マガジン管理装置１０３０が３つのアンテナ基盤１００２（アンテナ基盤１００２ａ、アンテナ基盤１００２ｂ、アンテナ基盤１００２ｃ）を備える構成例を示す。以下、アンテナ基盤１００２は、アンテナ基盤１００２ａ、アンテナ基盤１００２ｂ、アンテナ基盤１００２ｃの総称とする。なお、本実施の形態におけるマガジン管理装置１０３０が備えるアンテナ基盤１００２の数は何ら３つに限定されるものではなく、２つ以下であってもよく、または４つ以上であってもよい。
【０１３７】
また、本実施の形態では、図１０に一例を示すように、複数のマガジン２０２に対して１つのアンテナ基盤１００２を設ける。図１０に示す例では、３つのマガジン２０２に対して１つのアンテナ基盤１００２を（すなわち、３スロット毎に１つのアンテナ基盤１００２を）設けている。これにより、マガジン管理装置１０３０では、実施の形態１に示したマガジン管理装置１０３と比較して、アンテナ１００４の数を削減することができる。
【０１３８】
なお、本実施の形態は何らこの構成に限定されない。２つのマガジン２０２に対して１つのアンテナ基盤１００２を設けてもよく、あるいは、４つ以上のマガジン２０２に対して１つのアンテナ基盤１００２を設けてもよい。あるいは、実施の形態１と同様に、１つのマガジン２０２に対して１つのアンテナ基盤１００２を設けてもよい。この場合でも、アンテナ基盤１００２の両側にマガジン２０２が配置されるので、１つのアンテナ基盤１００２で少なくとも２つのマガジン２０２の無線識別子２２４と無線通信することが可能である。
【０１３９】
［２−２．動作］
本実施の形態におけるマガジン管理装置１０３０の機能構成は、図８に示した実施の形態１のマガジン管理装置１０３の機能構成と実質的に同じであるので、図示を省略する。以下、図８、図１０、図１１を参照して本実施の形態におけるマガジン管理装置１０３０の動作を説明する。
【０１４０】
なお、以下の説明では、図１０に示すように、アンテナ基盤１００２ａとアンテナ基盤１００２ｂとの間にある３つのスロットのそれぞれにマガジン２０２が格納されているものとする。以下、アンテナ基盤１００２ａに隣接するスロットに格納されたマガジン２０２をマガジン２０２ｃ、アンテナ基盤１００２ｂに隣接するスロットに格納されたマガジン２０２をマガジン２０２ａ、マガジン２０２ａとマガジン２０２ｃとの間のスロットに格納されたマガジン２０２をマガジン２０２ｂとする。
【０１４１】
図１１は、実施の形態２におけるマガジン管理装置１０３０の動作状態の一例を模式的に示す図である。なお、図１１には、アンテナ基盤１００２ａにアンテナ１００４ａが設けられ、アンテナ基盤１００２ｂにアンテナ１００４ｃが設けられた構成例を示す。
【０１４２】
ＣＰＵ８０３は、無線制御ＩＣ８０５を介してアンテナ基盤１００２上のアンテナ１００４を駆動してマガジン２０２の無線識別子２２４から情報を読み出す。この際、アンテナ１００４から出力される電波は、アンテナ１００４に最も近い位置にあるマガジン２０２の無線識別子２２４だけでなく、隣接する他のマガジンの無線識別子２２４にも届く（図１１参照）。アンテナ１００４からの電波を受信した複数のマガジンの無線識別子２２４は、それぞれ独立に応答の電波を送信する。マガジン管理装置１０３のアンテナ１００４は、複数の無線識別子２２４からの電波を受信する。こうして、ＣＰＵ８０３は、複数のマガジン２０２から送信された情報を取得する。
【０１４３】
図１１に示す例では、アンテナ１００４ａは、マガジン２０２ａ、２０２ｂ、２０２ｃの各無線識別子２２４から応答の電波を受信する。
【０１４４】
このように、ＣＰＵ８０３は、１つのアンテナで複数の無線識別子２２４と通信を行う。そして、ＣＰＵ８０３は、それぞれの無線識別子２２４から応答の電波を受信したときに、受信電波の強さ（電波の強度、電力の大きさ）や、アンテナ１００４と無線識別子２２４との間の距離に応じて変化する受信状態を示すパラメータ等、を取得する。例えば、アンテナ１００４から比較的弱い電波を送信したときに応答の電波を返してきた無線識別子２２４はアンテナ１００４に相対的に近い位置にあり、アンテナ１００４から比較的強い電波を送信したときのみ応答の電波を返してきた無線識別子２２４はアンテナ１００４から相対的に遠い位置にある、といった、アンテナ１００４から送信する電波の強度をパラメータとして用いてもよい。また、他のアンテナ１００４も無線識別子２２４からの応答の電波を受信するとともに、上記と同様の情報（受信電波の強さ、受信状態を示すパラメータ等）を取得する。ＣＰＵ８０３は、これら複数のアンテナ１００４で取得した受信電波の強さや受信状態を示すパラメータ等に基づいて、それぞれの無線識別子２２４が、アンテナ１００４からどれだけ離れているのか、その距離を算出する。ＣＰＵ８０３は、算出した距離と各アンテナ１００４の位置、受信時の情報（受信電波の強さ、受信状態を示すパラメータ等）、から、各無線識別子２２４（その無線識別子２２４を備えたマガジン２０２）がどのスロットに格納されているかを推定する。
【０１４５】
こうして、ＣＰＵ８０３は、各マガジン２０２がどのスロットに格納されているかを判定することができる。ＣＰＵ８０３は、イーサネットコントローラ８０２を介してシステム管理装置１０２に、無線識別子２２４から得られた識別情報、その無線識別子２２４を有するマガジン２０２が格納されている場所（スロット）、等の情報を送信する。
【０１４６】
これにより、実施の形態１と同様に、システム管理装置１０２は、どのマガジン管理装置１０３のどのスロットに、どのマガジン２０２が格納されているかを把握することができる。したがって、ユーザは、操作端末１０４を操作してそれらの情報をシステム管理装置１０２から取得し、所望のマガジンが格納されている場所を確認することができる。
【０１４７】
なお、図１０に示したように、１つのアンテナ基盤１００２が、実施の形態１に示した第１のアンテナ６０６ａおよび第２のアンテナ６０６ｂに相当する一対のアンテナ１００４（例えば、図１０に示す第１のアンテナ１００４ａおよび第２のアンテナ１００４ｂ）を備える場合、マガジン管理装置１０３０の各スロットに、マガジン２０２がどちらの方向（実施の形態１に示した左右に関する方向）で挿入されたとしても、アンテナ１００４は、無線識別子２２４との無線通信を良好に行うことが可能である。
【０１４８】
さらに、アンテナ基盤１００２が第１のアンテナ１００４ａと第２のアンテナ１００４ｂとを備える場合、マガジン管理装置１０３０は、実施の形態１で図９を用いて説明したフローチャートと同様の処理を実行することで、より効率的に無線識別子２２４との無線通信を行うことができる。
【０１４９】
［２−３．効果等］
以上のように、本実施の形態において、マガジン管理装置は、複数の光ディスクを収納したマガジンを複数格納する。このマガジン管理装置は、複数のマガジンを支持する筐体と、筐体を区切ってマガジンを１つずつ格納できる領域を複数形成する複数の仕切り部と、マガジンに設けられた無線識別子へ応答を求める電波を送信し、無線識別子から送信される応答の電波を受信するアンテナと、アンテナで受信した応答の電波から得られる情報を受け取る演算部と、を備える。さらに、このマガジン管理装置は、アンテナを備えたアンテナ基盤を有し、複数の仕切り部のうちの一部の仕切り部が、アンテナ基盤で代替されている。
【０１５０】
なお、マガジン管理装置１０３０はマガジン管理装置の一例である。光ディスク２００は光ディスクの一例である。マガジン２０２、２０２ａ、２０２ｂ、２０２ｃは、それぞれがマガジンの一例である。筐体１００１は筐体の一例である。仕切り板１００３は仕切り部の一例である。無線識別子２２４は無線識別子の一例である。アンテナ１００４、１００４ａ，１００４ｂ、１００４ｃは、それぞれがアンテナの一例である。ＣＰＵ８０３は演算部の一例である。アンテナ基盤１００２、１００２ａ、１００２ｂ、１００２ｃは、それぞれがアンテナ基盤の一例である。
【０１５１】
これにより、本実施の形態に示すマガジン管理装置は、実施の形態１に示したマガジン管理装置と同様に、複数のマガジンを効率的に管理することが可能となる。
【０１５２】
このマガジン管理装置において、アンテナは、第１のアンテナと第２のアンテナとを備えて構成されてもよい。
【０１５３】
第１のアンテナ１００４ａは第１のアンテナの一例である。第２のアンテナ１００４ｂは第２のアンテナの一例である。
【０１５４】
これにより、例えば、マガジン管理装置１０３０では、マガジン２０２が左右どちらの方向でスロットに挿入されたとしても、そのマガジン２０２が有する無線識別子２２４は、第１のアンテナ１００４ａおよび第２のアンテナ１００４ｂのいずれか一方に近接し、その無線識別子２２４との無線通信を良好に行うことができる。言い換えると、本実施の形態に示すマガジン管理装置１０３０を使用するユーザは、マガジン管理装置１０３０のスロットにマガジン２０２を挿入するときに、マガジントレイ２２１の前面がマガジン管理装置１０３の底部に対向する向きでさえあれば、左右どちらの向きでマガジン２０２をスロットに挿入してもかまわないので、利便性が向上する。
【０１５５】
このマガジン管理装置は、仕切り部によって区切られた領域の複数に対して１つのアンテナ基盤を設け、アンテナ基盤のアンテナは、複数の無線識別子を無線通信の対象としてもよい。
【０１５６】
これにより、例えば、マガジン管理装置１０３０では、実施の形態１に示したマガジン管理装置１０３と比較して、アンテナの数を削減することができる。
【０１５７】
（他の実施の形態）
以上のように、本出願において開示する技術の例示として、実施の形態１〜２を説明した。しかしながら、本開示における技術は、これに限定されず、変更、置き換え、付加、省略等を行った実施の形態にも適用できる。また、上記実施の形態１〜２で説明した各構成要素を組み合わせて、新たな実施の形態とすることも可能である。
【０１５８】
また、本開示における技術の例示として、実施の形態を説明した。そのために、添付図面および詳細な説明を提供した。
【０１５９】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１６０】
また、上述の実施の形態は、本開示における技術を例示するためのものであるから、請求の範囲またはその均等の範囲において種々の変更、置き換え、付加、省略などを行うことができる。
【産業上の利用可能性】
【０１６１】
本開示は、光ディスクをマガジン単位で管理するディスク装置およびマガジンを管理するマガジン管理装置に適用可能である。具体的には、データサーバ等に、本開示は適用可能である。
【符号の説明】
【０１６２】
１００    マガジン管理システム
１０１    ディスク装置
１０２    システム管理装置
１０３，１０３０    マガジン管理装置
１０４    操作端末
１１０    制御部
２００    光ディスク
２００ａ    中心穴
２０２，２０２ａ，２０２ｂ，２０２ｃ    マガジン
２０３    ピッカー
２０４    ディスクドライブ
２０５    リフター
２０６    キャリア
２０７    主回路部
２１１    底シャーシ
２１２    ガイドレール
２１３    把手
２１４    ラック
２２１    マガジントレイ
２２１ａ    カット部
２２１ｂ    側面
２２１ｃ    切欠部
２２１ｄ    係合凹部
２２２    ケース
２２３    芯棒
２２４    無線識別子
２３４    昇降台
２３５    フック
２３６    チャック
２３７    無線部
６０１    筐体
６０２    仕切り板
６０３    回路部
６０４    回路実装部分
６０４ａ    第１の回路実装部分
６０４ｂ    第２の回路実装部分
６０４ｃ    第３の回路実装部分
６０５    アンテナ部
６０５ａ    第１のアンテナ領域
６０５ｂ    第２のアンテナ領域
６０６    アンテナ
６０６ａ    第１のアンテナ
６０６ｂ    第２のアンテナ
８０１    ＵＳＢコントローラ
８０２    イーサネットコントローラ
８０３    ＣＰＵ
８０４    メモリ
８０５    無線制御ＩＣ
８０６，８０６ａ，８０６ｂ，８０６ｃ    アンテナ
１００１    筐体
１００２，１００２ａ，１００２ｂ，１００２ｃ    アンテナ基盤
１００３    仕切り板
１００４，１００４ａ，１００４ｂ，１００４ｃ    アンテナ
【図１】
0006515351.tif 000002
【図２】
0006515351.tif 000003
【図３】
0006515351.tif 000004
【図４】
0006515351.tif 000005
【図５】
0006515351.tif 000006
【図６】
0006515351.tif 000007
【図７】
0006515351.tif 000008
【図８】
0006515351.tif 000009
【図９】
0006515351.tif 000010
【図１０】
0006515351.tif 000011
【図１１】
0006515351.tif 000012